(57)【要約】【課題】ワイヤハーネスの弛みを防止するとともに作業性の向上を図ることが可能な保護カバー及びワイヤハーネス配索方法を提供する。【解決手段】光源一体型機能部２２を保護した後の保護カバー２１は、ワイヤハーネス２８側にスライド移動させて用いる。具体的には、ワイヤハーネス２８側にスライド移動させた後の保護カバー２１は、ワイヤハーネス２８を引っ張り弛み３５を吸収した状態で任意の位置に固定するように用いる。保護カバー２１は、あたかも弛み吸収用のクランプとして機能するようになる。保護カバー２１は、ワイヤハーネス２８に対して挿通状態で組み付けられ、このような保護カバー２１は光源一体型機能部２２からワイヤハーネス２８側に移動させても脱落することはない。【選択図】図３
2011068246.tif 000002
【特許請求の範囲】
【請求項１】
室内照明装置の一構成となる光源一体型機能部を保護する保護カバーにおいて、
前記光源一体型機能部を収容し保持する略筒状の形状に形成し、且つ、該略筒状の形状を前記光源一体型機能部から引き出されたワイヤハーネスに対してハーネス挿通状態でスライド自在となる形状にし、さらに、前記室内照明装置の設置位置と該室内照明装置に近い所定のハーネス固定位置との間で前記ワイヤハーネスを引っ張り弛みを吸収した状態で任意の位置に自身の固定を可能とする固定手段を有するように形成する
ことを特徴とする保護カバー。
【請求項２】
室内照明装置の一構成となる光源一体型機能部から引き出されたワイヤハーネスを配索する方法において、
前記光源一体型機能部を保護する保護カバーを、ハーネス挿通状態で前記室内照明装置の設置位置と該室内照明装置に近い所定のハーネス固定位置との間にスライド移動させ、この後に前記ワイヤハーネスを引っ張りつつ弛みを吸収した状態で前記保護カバーを任意の位置に固定する
ことを特徴とするワイヤハーネス配索方法。
【発明の詳細な説明】
【技術分野】
【０００１】
本発明は、室内照明装置の一構成となる光源一体型機能部を保護する保護カバーと、光源一体型機能部から引き出されたワイヤハーネスを配索する方法とに関する。
【背景技術】
【０００２】
従来の保護カバーの技術としては、下記特許文献１に開示されている。先ず、図５を参照しながら従来の保護カバー１について、また、保護対象となる光源一体型機能部２について説明をする。保護カバー１は、チップウレタン相当材からなる六面体であって、一つの面に開口部３を有している。一方、光源一体型機能部２は、光源４と機能部５とを備えて構成されている。機能部５からは、ワイヤハーネス６が引き出されている。保護カバー１は、開口部３を介して光源一体型機能部２を着脱自在に取り付けることができるように形成されている。具体的に保護カバー１は、開口部３の奥位置に機能部収容部分７と、光源収容部分８とを有している。
【０００３】
次に、図６を参照しながら車両天井における配索及び組み付けに関して説明をする。引用符号９はルーフトリムを示している。また、引用符号１０は端末にコネクタ１１を設けてなるワイヤハーネス幹線を示している。ワイヤハーネス幹線１０からは、上記ワイヤハーネス６が分岐されている。光源一体型機能部２は、ワイヤハーネス６の配索が終わるまで保護カバー１により保護されている。
【０００４】
ワイヤハーネス幹線１０及びワイヤハーネス６は、ルーフトリム９上で引き回されるようにして配索され、ワイヤハーネス６が所定のハーネス固定位置（図示省略。例えばクランプを設ける位置）で固定されると、配索に係る作業が完了する。この後、保護カバー１は取り外され、光源４及び機能部５が露出した状態の光源一体型機能部２は、室内照明装置の一構成となる意匠部１２に組み付けられる。取り外された保護カバー１は、上記の如くチップウレタン相当材からなるものであることから、廃棄されることなく、ルーフトリム９上に設けられた緩衝部材１３と同様に用いられる。
【０００５】
下記特許文献１に開示された保護カバー１は、保護機能のみならず緩衝機能も有している点が特徴になっている。また、廃棄されずに構造部品として用いられる点も特徴になっている。
【先行技術文献】
【特許文献】
【０００６】
【特許文献１】特開２００８−６８７８６号公報
【発明の概要】
【発明が解決しようとする課題】
【０００７】
ところで、上記従来技術にあっては、幾つかの問題点を有している。一つ目としては、ルーフトリム９上に配索されるワイヤハーネス６は、寸法足らずとならないように若干余裕を持たせた長さに形成されることから、弛みが大きい配索状態になってしまうと、例えば車両走行時においてワイヤハーネス６にバタツキが生じてしまうという問題点を有している。
【０００８】
二つ目としては、保護カバー１を取り外した時にこれを落としてしまう可能性があり、仮に落としてしまった場合には、作業性の低下につながるという問題点を有している。
【０００９】
本発明は、上記した事情に鑑みてなされたもので、ワイヤハーネスの弛みを防止するとともに作業性の向上を図ることが可能な保護カバー及びワイヤハーネス配索方法を提供することを課題とする。
【課題を解決するための手段】
【００１０】
上記課題を解決するためになされた請求項１記載の本発明の保護カバーは、室内照明装置の一構成となる光源一体型機能部を保護する保護カバーにおいて、前記光源一体型機能部を収容し保持する略筒状の形状に形成し、且つ、該略筒状の形状を前記光源一体型機能部から引き出されたワイヤハーネスに対してハーネス挿通状態でスライド自在となる形状にし、さらに、前記室内照明装置の設置位置と該室内照明装置に近い所定のハーネス固定位置との間で前記ワイヤハーネスを引っ張り弛みを吸収した状態で任意の位置に自身の固定を可能とする固定手段を有するように形成することを特徴とする。
【００１１】
また、上記課題を解決するためになされた請求項２記載の本発明のワイヤハーネス配索方法は、室内照明装置の一構成となる光源一体型機能部から引き出されたワイヤハーネスを配索する方法において、前記光源一体型機能部を保護する保護カバーを、ハーネス挿通状態で前記室内照明装置の設置位置と該室内照明装置に近い所定のハーネス固定位置との間にスライド移動させ、この後に前記ワイヤハーネスを引っ張りつつ弛みを吸収した状態で前記保護カバーを任意の位置に固定することを特徴とする。
【００１２】
このような特徴を有する本発明によれば、光源一体型機能部を保護した後の保護カバーは、ワイヤハーネス側にスライド移動させて用いる。具体的には、ワイヤハーネス側にスライド移動させた後の保護カバーは、ワイヤハーネスを引っ張り弛みを吸収した状態で任意の位置に固定するように用いる。従って、保護カバーは、あたかも弛み吸収用のクランプ（ハーネス固定部材）として機能するようになる。本発明によれば、保護カバーはワイヤハーネスに対して挿通状態で組み付けられ、このような保護カバーは光源一体型機能部からワイヤハーネス側に移動させても脱落することはない。
【発明の効果】
【００１３】
請求項１、２に記載された本発明によれば、ワイヤハーネスの弛みを防止するとともに作業性の向上を図ることができるという効果を奏する。
【図面の簡単な説明】
【００１４】
【図１】本発明の保護カバー及び保護対象となる光源一体型機能部を示す模式的な斜視図である。
【図２】光源一体型機能部を保護カバーにて保護した状態を示す模式的な斜視図である。
【図３】本発明のワイヤハーネス配索方法に係る模式的な図であり、（ａ）は配索状態を示す図、（ｂ）保護カバーの位置での断面図である。
【図４】保護カバーの変形例を示す模式的な斜視図である。
【図５】従来例の保護カバー及び光源一体型機能部を示す斜視図である。
【図６】図５の保護カバー及び光源一体型機能部を含む車両天井における配索及び組み付けに係る斜視図である。
【発明を実施するための形態】
【００１５】
以下、図面を参照しながら一実施形態を説明する。図１は本発明の保護カバー及び保護対象となる光源一体型機能部を示す模式的な斜視図である。また、図２は光源一体型機能部を保護カバーにて保護した状態を示す模式的な斜視図、図３は本発明のワイヤハーネス配索方法に係る模式的な図である。
【００１６】
図１及び図２において、引用符号２１は本発明の保護カバーを示している。また、引用符号２２は保護カバー２１にて保護される光源一体型機能部を示している。光源一体型機能部２２は、車両天井に設けられる意匠部２３（図３参照）に組み付けられて室内照明装置２４（図３参照。室内照明装置に限定されないものとする）を構成するものとなっている。光源一体型機能部２２は、光源２５と機能部２６とを備えて構成されている。光源２５には、レンズ２７が設けられている。光源２５は、例えばＬＥＤが用いられるものとする（バルブ等であっても良いものとする）。光源２５は、機能部２６に一体形成されている。光源２５及び機能部２６は、公知のものが用いられている。機能部２６からは、ワイヤハーネス２８が引き出されている。
【００１７】
光源一体型機能部２２は、このケース２９を構成する前面３０ａ、後面３０ｂ、左右の側面３０ｃ、上面３０ｄ、及び下面３０ｅが全て平坦な面に形成されている（一例であるものとする）。上面３０ｄには、レンズ２７が突出するように設けられている。また、後面３０ｂからはワイヤハーネス２８が引き出されている。光源一体型機能部２２は、前側に光源２５が、また、後側に機能部２６が位置するように構成されている。
【００１８】
保護カバー２１は、合成樹脂製の部材であって、光源一体型機能部２２を収容・保護することが、また、保持をすることができるように形成されている。もう少し具体的に形状を説明すると、保護カバー２１は、前後が開口する略筒状の形状に形成されている。上壁３１ａは、この内面が光源一体型機能部２２に対向するようになっている。上壁３１ａの外面には、両面テープ３２（固定手段）が設けられている（両面テープ３２の替わりに図４に示すようなクリップ３２′を設けても良いものとする。固定できれば特に限定されないものとする）。
【００１９】
上壁３１ａの左右両側には、側壁３１ｂがそれぞれ連成されている。側壁３１ｂ同士の間隔Ｂは、光源一体型機能部２２の幅Ａよりも若干小さくなるように設定されている。すなわち、側壁３１ｂは外側に若干撓んで光源一体型機能部２２の側面３０ｃを挟み込むことができるように配置形成されている。側壁３１ｂは、収容状態にある光源一体型機能部２２を保持してこの脱落をし難くすることができるように配置形成されている。このような側壁３１ｂの端部には、それぞれ下壁３１ｃが連成されている。下壁３１ｃは、上壁３１ａに対して平行に配置形成されている。下壁３１ｃ同士は、所定の間隔があくように配置形成されている。尚、上記間隔はワイヤハーネス２８の径よりも狭くなることが好ましいものとする（保護カバー２１をハーネス挿通状態でスライド移動させる際に脱落することがない）。下壁３１ｃは、光源一体型機能部２２の下面３０ｅを受けることができるように形成されている。
【００２０】
上記構成及び構造において、保護カバー２１の後側から光源一体型機能部２２を挿入すると、光源一体型機能部２２は図２に示す如く保護カバー２１内に収容され、そして若干撓んだ側壁３１ｂによって、すなわち復元しようとする力によって保持される（保持に関しては一例であるものとする。作業性が良好であれば係止構造であっても良いものとする）。このような状態で光源一体型機能部２２は、例えばカーメーカーへと搬送される。光源一体型機能部２２は、天井への組み付けを開始するまでの間、保護カバー２１によって確実に保護される（尚、保護カバー２１は、少なくとも光源２５を収容・保護することができる長さに形成されるものとする）。
【００２１】
図３において、ワイヤハーネス２８を配索する方法としては、ルーフトリム３３における所定のハーネス固定位置でワイヤハーネス２８をクランプ３４にて固定する（ハーネス固定位置は複数箇所存在するものとする）。また、この時、保護カバー２１をワイヤハーネス２８側にスライド移動させて光源一体型機能部２２を露出させ、この露出させた光源一体型機能部２２を意匠部２３に組み付けて室内照明装置２４を形成する。そしてこの後に、室内照明装置２４の設置位置と、室内照明装置２４に近い所定のハーネス固定位置（クランプ３４の位置）との間に生じたワイヤハーネス２８の弛み３５を保護カバー２１により吸収する。具体的には、保護カバー２１を矢印方向へ引っ張って弛み３５のない状態にすることにより吸収する。保護カバー２１は両面テープ３２を有することから、この両面テープ３２を用いて保護カバー２１をルーフトリム３３に固定する。保護カバー２１を固定することにより、ワイヤハーネス２８は車両走行中であってもバタツキのない配索状態となる。
【００２２】
以上、図１ないし図４を参照しながら説明してきたように、本発明によれば、ワイヤハーネス２８の弛みを防止することができるという効果を奏する。これにより、車両走行中のバタツキを防止することができるという効果を奏する。
【００２３】
また、本発明によれば、光源一体型機能部２２から引き出されたワイヤハーネス２８に対し保護カバー２１はハーネス挿通状態でスライド自在となることから、一旦取り外すことはなく、また、保護カバー２１の脱落が起こり難い状態になり、結果、良好な作業をすることができるという効果を奏する。
【００２４】
この他、保護カバー２１は、両面テープ３２（固定手段）を用いてルーフトリム３３に固定できることから、光源一体型機能部２２を保護する機能のみならず、ハーネス固定部材としての機能も有し、さらに光源一体型機能部２２の保護の後に廃棄する必要もないことから、有用なものであるという効果を奏する。尚、保護カバー２１をハーネス固定部材として機能させることは、光源一体型機能部２２の保護の後に回収してリユースするよりも安価にできると考えられる。
【００２５】
本発明は本発明の主旨を変えない範囲で種々変更実施可能なことは勿論である。
【符号の説明】
【００２６】
２１…保護カバー
２２…光源一体型機能部
２３…意匠部
２４…室内照明装置
２５…光源
２６…機能部
２７…レンズ
２８…ワイヤハーネス
２９…ケース
３２…両面テープ（固定手段）
３３…ルーフトリム
３４…クランプ
３５…弛み
【図１】
2011068246.tif 000003
【図２】
2011068246.tif 000004
【図３】
2011068246.tif 000005
【図４】
2011068246.tif 000006
【図５】
2011068246.tif 000007
【図６】
2011068246.tif 000008